【手続補正書】
【提出日】令和1年10月18日(2019.10.18)
【手続補正１】
【補正対象書類名】明細書
【補正対象項目名】０００７
【補正方法】変更
【補正の内容】
【０００７】
また、本発明は、前記制御部は、前記第１発光モードでは１周期に複数回の発光期間で前記発光部を発光させ、前記第２発光モードでは、前記第１発光モードの１周期に含まれる複数回の発光期間のうち少なくともいずれかの発光期間で前記発光部を発光させない。
この構成によれば、第２発光モードでは、第１発光モードの１周期に含まれる複数回の発光期間のうち少なくともいずれかの発光期間で発光部を発光させないため、操作の検出精度の低下を抑制しつつ、消費電力を削減することができる。
【手続補正２】
【補正対象書類名】明細書
【補正対象項目名】００１６
【補正方法】変更
【補正の内容】
【００１６】
プロジェクター１００は、スクリーンＳＳに画像光を投射して画像（以下、投射画像という）を表示する。投射画像は、例えば、プロジェクター１００の投射画像メモリー１２５（図２参照）に記憶された画像データ、又は画像データを供給する画像供給装置（不図示）から供給された画像データに基づいて生成される。また、スクリーンＳＳには投射画面ＰＳが形成される。投射画面ＰＳは、プロジェクター１００の通常の使用状態において、プロジェクター１００が投射画像を投射可能な領域を指す。
【手続補正３】
【補正対象書類名】明細書
【補正対象項目名】００１７
【補正方法】変更
【補正の内容】
【００１７】
また、プロジェクター１００は、撮像部１５０（図２参照）を備える。撮像部１５０は、少なくとも投射画面ＰＳを含む範囲を撮像して撮像画像データを生成する。本実施形態では、プロジェクター１００がスクリーンＳＳの斜め上方に設置されるため、撮像部１５０は、スクリーンＳＳを含む範囲を斜め上方から撮像する。指示体５０の発光タイミングに合わせて撮像部１５０に撮像を実行させることで、撮像画像データには、指示体５０の発光が撮像される。プロジェクター１００は、撮像画像データを解析して、指示体５０の指示位置を検出する。さらに、プロジェクター１００は、指示体５０の先端部５１が操作面に接触した状態の検出に応じた処理を行う。例えば、プロジェクター１００は、指示体５０による描画コマンドが選択されている場合、指示体５０の先端部５１が接触した操作面であるスクリーンＳＳに点や線等を投射する。例えば、描画や、消去、拡大等の処理コマンドは、操作面に表示されるメニュー画像を指示体５０が指示する操作により選択される。また、プロジェクター１００は、指示体５０の先端部５１が操作面に接触していない状態でも、撮像部１５０の撮像画像データを解析して、指示体５０の位置を検出する。また、本実施形態では、プロジェクター１００は、指示体５０が操作面に接触していない状態での指示位置に対応するスクリーンＳＳにカーソルを表示させる。
【手続補正４】
【補正対象書類名】明細書
【補正対象項目名】００２７
【補正方法】変更
【補正の内容】
【００２７】
投射レンズ１３３は、光変調部１３２により変調された投射画像光ＩＭＬをスクリーンＳＳに投射して、スクリーンＳＳ上に結像させるレンズ群である。投射レンズ１３３は、スクリーンＳＳに投射される画像を拡大又は縮小させるズーム機構や、フォーカスの調整を行うフォーカス調整機構を備えていてもよい。
【手続補正５】
【補正対象書類名】明細書
【補正対象項目名】００２８
【補正方法】変更
【補正の内容】
【００２８】
信号光送信部１４０は、指示体５０の発光タイミングを、撮像部１５０の撮像タイミングに同期させるための信号である装置信号光ＡＳＬを出力する。装置信号光ＡＳＬは、指示体５０が後述する信号光受信部５３により受信可能な近赤外光の信号である。信号光送信部１４０は、プロジェクター１００の作動中（あるいは稼働中）、装置信号光ＡＳＬを定期的に送信する。
【手続補正６】
【補正対象書類名】明細書
【補正対象項目名】００３２
【補正方法】変更
【補正の内容】
【００３２】
制御部１１０は、位置検出部１６０が検出した撮像画像データ上の指示位置を、投射画像メモリー１２５上の位置（座標）に変換する。この変換は、例えば、画像の投射前に行われるキャリブレーションによって生成されたキャリブレーションデータに基づいて行われる。制御部１１０は、投射画像生成部１２０を制御して、変換した投射画像メモリー１２５上の位置（座標）に画像データを展開させる。これにより、スクリーンＳＳ上での指示体５０の動きに対応した文字や図形がスクリーンＳＳに描画される。
【手続補正７】
【補正対象書類名】明細書
【補正対象項目名】００４５
【補正方法】変更
【補正の内容】
【００４５】
また、第３フェーズＰＨ３は、指示体判定のフェーズでもある。第３フェーズＰＨ３において、指示体５０は、予め設定された発光パターンで発光する。
複数の指示体５０を用いて操作を行う場合、第３フェーズにおいて、各指示体５０は異なる発光パターンで発光する。例えば、指示体５０Ａと指示体５０Ｂ（いずれも不図示）との２つの指示体５０により操作を行う場合について説明する。指示体５０Ａは、第３フェーズにおける発光パターンとして「１００」が設定され、指示体５０Ｂは第３フェーズにおける発光パターンとして「０１０」が設定されていると仮定する。指示体５０Ａ及び５０Ｂは、連続する３サイクルにおいて、「１」に対応したサイクルでは、第３フェーズＰＨ３で先端発光部５５を発光させ、「０」に対応したサイクルでは、第３フェーズＰＨ３で先端発光部５５を発光させない。発光パターンが「１００」に設定された指示体５０Ａは、連続する３サイクルにおいて、最初の１サイクル目の第３フェーズＰＨ３で発光し、２サイクル目及び３サイクル目の第３フェーズＰＨ３では発光しない。１サイクル目は、第１フェーズＰＨ１〜第４フェーズＰＨ４を１回とする１周期である。また、発光パターンが「０１０」に設定された指示体５０Ｂは、１サイクル目の第３フェーズＰＨ３では発光せず、２サイクル目の第３フェーズＰＨ３で発光し、３サイクル目の第３フェーズＰＨ３では発光しない。プロジェクター１００は、連続する３サイクルにおいて、第３フェーズＰＨ３での指示体５０Ａ及び指示体５０Ｂの発光状態を検出することで、指示体５０Ａと指示体５０Ｂとを区別する。
【手続補正８】
【補正対象書類名】明細書
【補正対象項目名】００５８
【補正方法】変更
【補正の内容】
【００５８】
また、制御部５８は、先端スイッチ５４がオフしている場合（ステップＳ４／ＮＯ）、第２発光モードで指示体信号光ＰＳＬを送信する（ステップＳ６）。その後、制御部５８は、１サイクルが終了したか否かを判定する（ステップＳ７）。制御部５８は、１サイクルが終了していない場合（ステップＳ７／ＮＯ）、ステップＳ３に戻り、発光タイミングとなったか否かを判定する（ステップＳ３）。また、制御部５８は、１サイクルが終了した場合（ステップＳ７／ＹＥＳ）、プロジェクター１００から送信される装置信号光ＡＳＬを受信するまで待機する（ステップＳ１）。
【手続補正９】
【補正対象書類名】明細書
【補正対象項目名】００６０
【補正方法】変更
【補正の内容】
【００６０】
以上説明したように本実施形態の指示体５０は、操作面であるスクリーンＳＳに対する操作に利用される操作デバイスであり、発光部として機能する先端発光部５５と、先端発光部５５を発光させることで信号光を送信する制御部５８とを備える。制御部５８は、スクリーンＳＳに接触している状態で先端発光部５５を第１発光モードで発光させ、スクリーンＳＳに接触していない状態で、先端発光部５５を第１発光モードよりも光量が低い第２発光モードで発光させる。
従って、指示体５０がスクリーンＳＳに接触していない状態では、先端発光部５５を第１発光モードよりも光量が低い第２発光モードで発光させるため、操作の検出精度の低下を抑制しつつ、消費電力を削減することができる。
【手続補正１０】
【補正対象書類名】明細書
【補正対象項目名】００７１
【補正方法】変更
【補正の内容】
【００７１】
また、図２に示すプロジェクター１００の構成において、投射画像生成部１２０、信号光送信部１４０及び位置検出部１６０をハードウェアにより構成してもよい。また、撮像画像生成部１２０、信号光送信部１４０、位置検出部１６０及び制御部１１０の少なくとも一部を、集積回路（ＩＣ）やその他のディジタル回路により構成してもよいし、各部の少なくとも一部にアナログ回路が含まれてもよい。また、上記各部をプロセッサーと集積回路との組み合わせにより構成してもよい。